(57)【特許請求の範囲】
【請求項１】
変調光を波長多重伝送する波長多重光伝送システムにおいて前記変調光の搬送波長を合分波する波長多重フィルタの光透過特性を補正する光透過特性補正フィルタであって、
入射する光に施す位相変調を制御することで、前記変調光の波長に応じた光透過率を変更する反射型液晶素子を備え、
前記反射型液晶素子の光透過特性は、
中心波長で極小となる正弦関数に従って変化し、
前記中心波長が前記搬送波長のいずれかと略同一であり、
前記正弦関数における隣接する極小値の波長間隔であるリプル周期が、Ｑ値が最大となるような前記正弦関数の極小値と極大値の差であるリプル振幅との組み合わせのうち、搬送波長の配置間隔の制約をみたす最大値である、
光透過特性補正フィルタ。
【請求項２】
前記リプル周期が、前記波長多重フィルタの合波又は分波する前記搬送波長の波長周期と略同一である、
請求項１に記載の光透過特性補正フィルタ。
【請求項３】
変調光を波長多重伝送する波長多重光伝送システムにおいて、
前記変調光の搬送波長を合分波する波長多重フィルタと、
前記波長多重フィルタの光透過特性を補正する請求項１又は２に記載の光透過特性補正フィルタと、
を備える光伝送システム。
【請求項４】
請求項１又は２に記載の光透過特性補正フィルタで変調光の光透過特性を補正したと同等の特性となるようにベースバンド電気信号の周波数特性を補正する周波数特性補正フィルタ。
【請求項５】
請求項４に記載の周波数特性フィルタを光送信装置又は光受信装置に備えることを特徴とする光伝送システム。
【発明の詳細な説明】
【技術分野】
【０００１】
本発明は、波長多重光伝送システムにおける信号劣化を緩和するための光透過特性補正フィルタ及びそれを適用した光伝送システムに関する。
【背景技術】
【０００２】
近年、通信需要の増大に伴い、波長多重光伝送技術を適用して光基幹通信網の大容量化が進展している。波長多重光伝送システムで伝送容量を増大するには、変調光で搬送する信号の高速化又は変調光の波長間隔を狭めて波長多重度を上げることが望ましい。高速化をすると、光信号のシンボルレートが上昇し、光信号のスペクトラムが広帯域化してしまう。波長多重度を上げると、多重する波長グリッドの波長間隔が狭まってしまう。いずれの場合も光信号が波長多重フィルタの帯域制限を受けるようになる（例えば、非特許文献１参照。）。
【先行技術文献】
【非特許文献】
【０００３】
【非特許文献１】Ｔ．Ｚａｍｉ，ｅｔ．ａｌ．，“Ｔｒａｎｓｐａｒｅｎｔ  ｎｏｄｅｓ．  Ｙｅｓ，  ｂｕｔ  ｔｏ  ｗｈａｔ  ｅｘｔｅｎｔ？”３５ｔｈ  Ｅｕｒｏｐｅａｎ  Ｃｏｎｆｅｒｅｎｃｅ  ｏｎ  Ｏｐｔｉｃａｌ  Ｃｏｍｍｕｎｉｃａｔｉｏｎｓ（ＥＣＯＣ  ２００９），  ｐａｐｅｒ  ５．５．３，２００９
【発明の概要】
【発明が解決しようとする課題】
【０００４】
光信号を光−電気−光変換することなく、光のままスイッチングする光伝送システムも実用化されている。光のままスイッチングするために、波長多重フィルタを何度も通過させるようになると、波長多重フィルタの帯域制限の影響をより強く受けることになる。
【０００５】
また、中心波長も各波長多重フィルタによって波長ずれを持っている。さらに、波長多重伝送での隣接チャネルへの漏話を防止するために帯域制限フィルタも設けられている。波長多重フィルタや帯域制限フィルタの透過特性は、中心波長に対して両側の波長での透過率が小さくなる特性を有している。このため、波長多重フィルタや帯域制限フィルタが光信号を劣化させるという課題があった。
【課題を解決するための手段】
【０００６】
上記目的を達成するために、本願発明の光透過特性補正フィルタは、光領域で光透過特性を補正して、波長多重フィルタや帯域制限フィルタによる光信号の劣化を緩和する。
【０００７】
具体的には、本願発明の光透過特性補正フィルタは、変調光を波長多重伝送する波長多重光伝送システムにおいて前記変調光の搬送波長を合分波する波長多重フィルタの光透過特性を補正する光透過特性補正フィルタであって、入射する光に施す位相変調を制御することで、前記変調光の波長に応じた光透過率を変更する反射型液晶素子を備え、前記反射型液晶素子の光透過特性は、中心波長で極小となる正弦関数に従って変化し、前記中心波長が前記搬送波長のいずれかと略同一であり、前記正弦関数における隣接する極小値の波長間隔であるリプル周期が、Ｑ値が最大となるような前記正弦関数の極小値と極大値の差であるリプル振幅との組み合わせのうち、搬送波長の配置間隔の制約をみたす最大値である。
【０００８】
本願発明の光透過特性補正フィルタを備えると、波長多重フィルタや帯域制限フィルタによる光信号の劣化を緩和することができる。
【００１０】
本願発明の光透過特性補正フィルタは、前記リプル周期が、前記波長多重フィルタの合波又は分波する前記搬送波長の波長周期と略同一としてもよい。
【００１１】
上記目的を達成するために、本願発明の光伝送システムは、光領域で光透過特性を補正して、波長多重フィルタや帯域制限フィルタによる光信号の劣化を緩和する光透過特性補正フィルタを備える。
【００１２】
具体的には、本願発明の光伝送システムは、変調光を波長多重伝送する波長多重光伝送システムにおいて、前記変調光の搬送波長を合分波する波長多重フィルタと、前記波長多重フィルタの光透過特性を補正する。
【００１３】
本願発明の光伝送システムは、波長多重フィルタや帯域制限フィルタによる光信号の劣化を緩和することができる。
【００１４】
上記目的を達成するために、本願発明の周波数特性補正フィルタは、電気領域で周波数特性を補正して、波長多重フィルタや帯域制限フィルタによる光信号の劣化を緩和する。
【００１５】
具体的には、本願発明の周波数特性補正フィルタは、前記光透過特性補正フィルタで変調光の光透過特性を補正したと同等の特性となるようにベースバンド電気信号の周波数特性を補正する。
【００１６】
本願発明の周波数特性補正フィルタを備えると、波長多重フィルタや帯域制限フィルタによる光信号の劣化を緩和することができる。
【００１７】
上記目的を達成するために、本願発明の光伝送システムは、電気領域で周波数特性を補正して、波長多重フィルタや帯域制限フィルタによる光信号の劣化を緩和する周波数特性補正フィルタを備える。
【００１８】
具体的には、本願発明の光伝送システムは、前記周波数特性フィルタを光送信装置又は光受信装置に備える。
【００１９】
本願発明の周波数特性補正フィルタを備える光伝送システムは、波長多重フィルタや帯域制限フィルタによる光信号の劣化を緩和することができる。
【００２０】
なお、上記各発明は、可能な限り組み合わせることができる。
【発明の効果】
【００２１】
本発明により、波長多重フィルタや帯域制限フィルタによる光信号の劣化を緩和することが出来る。
【図面の簡単な説明】
【００２２】
【図１】光透過特性補正フィルタの光透過特性を示す。
【図２】光透過特性補正フィルタを挿入することによる光信号の品質改善度を示す。
【図３】光信号の品質改善度を示す。
【図４】光信号の品質改善度を示す。
【図５】光信号の品質改善度を示す。
【図６】光信号の品質改善度を示す。
【図７】光透過特性補正フィルタの例を示す。
【図８】光送信装置内に光透過特性補正フィルタを配置する例を示す。
【図９】光送信装置内に光透過特性補正フィルタを配置する例を示す。
【図１０】光送信装置内に光透過特性補正フィルタを配置する例を示す。
【図１１】光受信装置内に光透過特性補正フィルタを配置する例を示す。
【図１２】光受信装置内に光透過特性補正フィルタを配置する例を示す。
【図１３】光受信装置内に光透過特性補正フィルタを配置する例を示す。
【図１４】光ノード内に光透過特性補正フィルタを配置する例を示す。
【図１５】光ノード内に光透過特性補正フィルタを配置する例を示す。
【図１６】光ノード内に光透過特性補正フィルタを配置する例を示す。
【図１７】光ノード内に光透過特性補正フィルタを配置する例を示す。
【図１８】光送信装置内に周波数特性補正フィルタを配置する例を示す。
【図１９】光受信装置内に周波数特性補正フィルタを配置する例を示す。
【発明を実施するための形態】
【００２３】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２４】
以下、本発明による光透過特性補正フィルタ及び光透過特性補正フィルタを適用した光伝送システムの実施形態について図面を参照して説明する。
【００２５】
本実施形態では、光透過率が極小となる中心波長を中心として対称で、光透過率が中心波長に向かって小さくなる光透過特性を有する光透過特性補正フィルタについて説明する。
【００２６】
光透過特性補正フィルタの光透過特性を図１に示す。図１（１）には、波長多重フィルタの光透過特性及び波長多重フィルタが通過させる変調光のスペクトラムも併せて示す。波長多重フィルタは、波長多重伝送用に特定の波長を合波したり分波したりするために使用する。図１では、光透過特性補正フィルタは、中心波長が波長多重フィルタの通過させる変調光の搬送波長と略同一である。また、光透過特性補正フィルタが、光透過率が波長に対して周期的で、周期の中で極小となる波長のひとつが搬送波長と略同一するように設計してもよい。例えば、光透過特性がｓｉｎ関数形状となり、光透過率が極小となる中心波長が波長多重フィルタの通過させる変調光の搬送波長と略同一になるような光透過特性補正フィルタとしてもよい。
【００２７】
図１（２）は、光透過特性補正フィルタの光透過特性と波長多重フィルタの光透過特性との合成特性（以後、「光透過特性補正フィルタの光透過特性と波長多重フィルタの光透過特性との合成特性」を単に「合成特性」ということがある）、波長多重フィルタが通過させる変調光のスペクトラム及び波長多重フィルタの光透過特性も併せて示す。図１（１）と図１（２）とを比較すると、合成特性は波長多重フィルタの光透過特性に比べて光透過帯域が拡張していることが分かる。
【００２８】
光透過帯域を拡張できると、光信号が帯域制限によって受ける信号劣化を緩和することができる。光信号の劣化が緩和できれば、高速大容量化、中継距離の増大、伝送品質の向上に資することができる。
【００２９】
図２は、光透過特性補正フィルタの光透過特性をｓｉｎ関数形状としたときの、光透過特性補正フィルタを挿入することによる光信号の品質改善度を表したものである。光透過特性は、図２（１）に示すように、波長に対してｓｉｎ関数形状となり、波長に対する周期をリプル周期、光透過率に対する極大値と極小値の差をリプル振幅としている。リプル振幅及びリプル周期／ボーレートに対する信号品質の評価指標であるＱ値の改善傾向の一例を図２（２）に示す。ボーレートは光信号のｂａｕｄ  ｒａｔｅを表す。
【００３０】
図２（２）より、リプル周期に対して、信号品質の改善量が最大となるリプル振幅、および信号品質の改善が見込めるリプル振幅の大きさの上限を求めることができることが分かる。また、リプル周期の大きさとその信号品質の改善量が最大となるリプル振幅および信号品質の改善が見込めるリプル振幅の上限の大きさは、正の相関を持つことが分かる。例えば、リプル振幅とリプル周期を適切に選択すれば、リプル振幅＝０、リプル周期／ボーレート＝１のときに対してＱ値で４．８ｄＢ程度の改善が見込まれる。 
【００３１】
光透過特性補正フィルタの光透過特性を図２（１）のようなｓｉｎ関数形状とし、下記の式（１）、式（２）を充足するリプル周期ＴＬＰ及びリプル振幅ＡＬＰの組み合わせの中から、光透過特性補正フィルタの物理的制約の条件下で、最もリプル周期が大きいものを選定してもよい。例えば、マッハツェンダ干渉計の使用を前提として光透過特性を設計すると、搬送波長の配置間隔の制約からリプル周期ＴＬＰが制限を受けるが、これらの物理的制約を考慮して、最もリプル周期が大きいものを選定する。
ＴＬＰ＝α・ＡＬＰ＋０．２６    （１）
α＝３２．７Ｂ’−１８．７      （２）
但し、Ｂ’は合成特性の０．５ｄＢ帯域に対する光信号のボーレートの比である。Ｂ’をパラメータに式（１）、式（２）を基にした光信号の品質改善度を図３に表す。図３は、上記（２）式のＢ’をパラメータにリプル周期ＴＬＰ及びリプル振幅ＡＬＰを変化させて行なった伝送モデルのシミュレーション結果である。各リプル周期ＴＬＰにおいてＱ値が最大となるリプル振幅ＡＬＰのプロットで、式（１）は図３のプロットを線形近似したものである。式（２）は式（１）の傾きおよび切片をプロットしたものの線形近似である。図３より、リプル周期ＴＬＰの大きさと各リプル周期ＴＬＰにおける信号品質の改善量が最大となるリプル振幅ＡＬＰの大きさの正の相関を線形近似した際の傾きは、Ｂ’の大きさによって変化することがわかる。
【００３２】
図４は、図３において、合成特性の０．５ｄＢ帯域／光信号のボーレートと一次近似の傾きとの関係をプロットしたものである。図４より、リプル周期ＴＬＰの大きさとその信号品質の改善量が最大となるリプル振幅ＡＬＰの大きさの正の相関を線形近似した際の傾きは、Ｂ’の大きさと正比例の傾向にあることが分かる。
【００３３】
光透過特性補正フィルタの光透過特性を図２（１）のようなｓｉｎ関数形状とし、下記の式（３）、式（４）、式（５）を充足するリプル周期ＴＬＰ及びリプル振幅ＡＬＰの組み合わせの中から、前述したような光透過特性補正フィルタの物理的制約下で、最もリプル周期が大きいものを選定してもよい。
ＴＬＰ＞α・ＡＬＰ＋β              （３）
α＝１５．４８Ｂ’−７．１８４      （４）
β＝０．８９６６Ｂ’−０．７３７４  （５）
但し、Ｂ’は合成特性の０．５ｄＢ帯域に対する光信号のボーレートの比である。Ｂ’をパラメータに式（３）、式（４）、式（５）を基にした光信号の品質改善度を図５に表す。図５は上記（４）式、（５）式のＢ’をパラメータにリプル周期ＴＬＰ及びリプル振幅ＡＬＰを変化させて行った伝送モデルのシミュレーション結果である。各リプル周期ＴＬＰにおいて光透過特性補正フィルタを用いない場合と同等の信号品質となるリプル振幅ＡＬＰのプロットで、式（３）は図５のプロットを線形近似したものである。式（４）及び式（５）は式（３）の傾きおよび切片をプロットしたものの線形近似である。図５より、リプル周期ＴＬＰの大きさと各リプル周期ＴＬＰにおける信号品質の改善量が見込めるリプル振幅ＡＬＰの大きさの上限の間にある正の相関を線形近似した際の傾きは、Ｂ’の大きさによって変化することがわかる。
【００３４】
図６は、図５において、合成特性の０．５ｄＢ帯域／光信号のボーレートと一次近似の傾きとの関係をプロットしたものである。図６より、リプル周期ＴＬＰの大きさと各リプル周期ＴＬＰにおける信号品質の改善量が見込めるリプル振幅ＡＬＰの大きさの上限の間にある正の相関を線形近似した際の傾きおよび切片は、Ｂ’の大きさと正比例の傾向にあることが分かる。
【００３５】
光透過特性補正フィルタは、マッハツェンダ干渉計などの周期的な光透過特性を持つ光学系によって実現する。光透過特性補正フィルタが周期的な光透過特性を持つ光学系の場合、光透過特性補正フィルタの光透過率の波長周期を波長多重フィルタの合波又は分波する波長周期と略同一にし、かつ、光透過特性補正フィルタの中心波長を波長多重フィルタの合波又は分波する変調光の搬送波長と略同一に設定することが望ましい。波長多重伝送において、合波された異なる波長の複数の変調光を通過させた場合、異なる波長の複数の変調光に対して一括で光透過特性補正フィルタを設けることができるからである。
【００３６】
また、光透過特性補正フィルタは、例えばマッハツェンダ干渉計を例示したが、式（１）及び式（２）や式（３）、式（４）及び式（５）に近似した式で表せる光透過特性を有するフィルタであれば良い。例えば、反射型液晶素子などによる透過特性可変フィルタによって実現してもよい。
【００３７】
反射型液晶素子によって、波長多重フィルタに光透過特性を可変できる光透過特性補正フィルタの機能を付加した例を図７に示す。図７において、１０１は伝送路等へ又は伝送路からの異なる波長の複数の変調光を入出力する入出力ポート、１０２は異なる波長の複数の変調光を波長ごとに分波又は合波する回折格子、１０３は回折格子からの光を平行光にし、平行光を集光する光学レンズ、１０４は光透過特性を可変する反射型液晶素子である。
【００３８】
伝送路からの異なる波長の複数の合波された変調光が入出力ポート１０１の一つに入力される。入力された変調光は回折格子１０２によって波長ごとに空間軸上に広げられる。広げられた変調光は光学レンズ１０３によって平行光にされ、反射型液晶素子１０４に入力される。反射型液晶素子１０４では、波長成分ごとに位相変調が施され、元の方向に反射される。反射された変調光は、逆のコースを経て、出力する入出力ポート１０１に結合する。この際、変調光の光周波数成分には反射型液晶素子１０４で受けた位相変調に応じて損失が生じるため、反射型液晶素子１０４にて施す位相変調を制御することによって光透過特性補正フィルタの光透過特性を実現する。
【００３９】
ここでは、反射型液晶素子１０４の位相変調量を制御することによって、任意の光透過特性を実現する。光透過特性補正フィルタは、リングつきマッハツェンダ干渉計を用いてもよいし、チャープドグレーティングを用いてもよいし、ラティスフィルタを用いても良い。
【００４０】
光伝送システムにおける、光透過特性補正フィルタの配置場所は光送信装置内、光受信装置内、光ノード内のいずれでもよい。
【００４１】
光送信装置内に光透過特性補正フィルタを配置する例を、図８〜図１０に示す。図８〜図１０において、１１はベースバンド信号から変調光を生成する光信号生成回路、１２は異なる波長の複数の変調光を合波したり分波したりする波長多重フィルタ、２１〜２３は光透過特性補正フィルタである。光透過特性補正フィルタ２１〜２３は、光透過率が中心波長を中心として対称で、かつ、中心波長に向かって小さくなる光透過特性を有する。また、光透過特性の波長周期が波長多重フィルタの合波又は分波する波長周期と略同一で、かつ、中心波長が波長多重フィルタの合波又は分波する波長と略同一に設定されている。
【００４２】
図８において、伝送すべきベースバンド信号は光信号生成回路１１によって、それぞれ異なる波長の変調光に変調される。それぞれの変調光は光透過特性補正フィルタ２１で光透過特性の補正を受けて波長多重フィルタ１２で合波される。
【００４３】
図９において、変調光に対して光透過特性補正フィルタ２２が一体となって構成されている。一体として構成することにより、コストの低減だけでなく、調整が容易となる。
【００４４】
図１０において、例えば、図７に示すような異なる波長の複数の変調光をまとめて光透過特性の補正をする構成である。コストをさらに低減することができ、又調整が容易となる。
【００４５】
光受信装置内に光透過特性補正フィルタを配置する例を、図１１〜図１３に示す。図１１〜図１３において、１２は異なる波長の複数の変調光を合波したり分波したりする波長多重フィルタ、１３は変調光を復調してベースバンド信号を生成する光信号検波回路、２１〜２３は光透過特性補正フィルタである。光透過特性補正フィルタ２１〜２３は、光透過率が中心波長を中心として対称で、かつ、中心波長に向かって小さくなる光透過特性を有する。また、光透過特性の波長周期が波長多重フィルタの合波又は分波する波長周期と略同一で、かつ、中心波長が波長多重フィルタの合波又は分波する波長と略同一に設定されている。
【００４６】
図１１において、異なる波長の複数の変調光が波長多重フィルタに入力されると、それぞれの波長の変調光に分波される。分波されたそれぞれの変調光は光透過特性補正フィルタ２１で光透過特性の補正を受けて、光信号検波回路１３でベースバンド信号に復調される。
【００４７】
図１２において、変調光に対して光透過特性補正フィルタ２２が一体となって構成されている。一体として構成することにより、コストの低減だけでなく、調整が容易となる。
【００４８】
図１３において、例えば、図７に示すような異なる波長の複数の変調光をまとめて光透過特性の補正をする構成である。コストをさらに低減することができ、又調整が容易となる。
【００４９】
光ノード内に光透過特性補正フィルタを配置する例を、図１４〜図１７に示す。図１４〜図１７において、１１はベースバンド信号から変調光を生成する光信号生成回路、１３は変調光を復調してベースバンド信号を生成する光信号検波回路、１４は任意の波長の変調光を挿抜する波長選択スイッチ、２４〜２６は光透過特性補正フィルタである。光透過特性補正フィルタ２４〜２６は、光透過率が中心波長を中心として対称で、かつ、中心波長に向かって小さくなる光透過特性を有する。また、光透過特性の波長周期が波長選択スイッチ１４における波長多重フィルタの合波又は分波する波長周期と略同一で、かつ、中心波長が波長多重フィルタの合波又は分波する波長と略同一に設定されている。波長選択スイッチは、複数の波長の変調光が入力されると、その中で任意の波長の変調光を挿抜して、複数の波長の変調光を出力する。波長選択スイッチの構成の一部には、図７で説明した光透過特性を可変できる光透過特性補正フィルタの機能を付加した波長多重フィルタも適用することができる。
【００５０】
図１４において、異なる波長の複数の変調光が光透過特性補正フィルタ２４に入力されると、光透過特性の補正を受けて、波長選択スイッチ１４に入力される。特定の波長の変調光が抜き出され、光信号検波回路１３でベースバンド信号に復調される。また、伝送すべきベースバンド信号は光信号生成回路１１によって、それぞれ異なる特定の波長の変調光に変調され、波長選択スイッチ１４で挿入される。図１４の構成であれば、光信号検波回路１３の受信する変調光や波長選択スイッチ１４を通過する変調光の補正ができるが、光信号生成回路１１の送信する変調光の補正はできない。
【００５１】
図１５において、光透過特性補正フィルタ２４は波長選択スイッチ１４の後段に配置されている。図１５の構成であれば、光信号生成回路１１の送信する変調光や波長選択スイッチ１４を通過する変調光の補正ができるが、光信号検波回路１３の受信する変調光の補正はできない。
【００５２】
図１６において、光透過特性補正フィルタ２５は、波長選択スイッチ１４と光信号生成回路１１や光信号検波回路１３との間に配置される。光信号生成回路１１の送信する変調光や光信号検波回路１３の受信する変調光の補正ができるが、波長選択スイッチ１４を通過する変調光の補正はできない。
【００５３】
図１７において、変調光に対して光透過特性補正フィルタ２６が一体となって構成されている。一体として構成することにより、コストの低減だけでなく、調整が容易となる。
【００５４】
本実施形態の光透過特性補正フィルタを光伝送システム内に配置すると、波長多重フィルタ等の帯域制限フィルタによる光信号の劣化を緩和することが出来る。光信号の劣化が緩和できれば、高速大容量化、中継距離の増大、伝送品質の向上に資することができる。
【００５５】
このような光透過特性補正フィルタは、リング網、メッシュ網、ツリー網の光伝送システムにも適用することができる。また、波長選択スイッチを備えない光中継ノードや、光送信装置と光受信装置とを対向させた光伝送システムにも適用することができる。
【００５６】
光透過特性補正フィルタは光伝送システム内の１箇所だけでなく、前述した配置を組み合わせて複数の箇所に配置してもよい。また複数の光透過特性補正フィルタを配置して、光透過特性を分散して補正することでもよい。
【００５７】
これまでは、光領域での補正について説明したが、図１に示す光透過特性補正フィルタで変調光の光透過特性を補正したと同等の特性となるようにベースバンド電気信号の周波数特性を補正する周波数特性補正フィルタを光送信装置又は光受信装置に備えてもよい。
【００５８】
光送信装置内に周波数特性補正フィルタを配置する例を図１８に示す。図１８において、１１はベースバンド信号から変調光を生成する光信号生成回路、１２は異なる波長の複数の変調光を合波したり分波したりする波長多重フィルタ、１５は周波数特性補正フィルタである。周波数特性補正フィルタは、光透過特性補正フィルタで変調光を補正したときのベースバンド信号が受ける電気的周波数特性と同等の特性となるようにベースバンド電気信号の周波数特性を補正する。
【００５９】
図１８において、伝送すべきベースバンド信号は周波数特性補正フィルタによって周波数特性が補正され、光信号生成回路１１によって、それぞれ異なる波長の変調光に変調される。それぞれの変調光は波長多重フィルタ１２で合波される。
【００６０】
周波数特性補正フィルタ１５は、電気信号の周波数領域の信号処理を行なうためにディジタル信号処理回路及びディジタル信号処理回路によって作成した信号波形データをアナログの電気波形に変換するためのＤ／Ａ（Ｄｉｇｉｔａｌ−Ａｎａｌｏｇ）変換回路によって実現することができる。
【００６１】
このような周波数特性補正フィルタを光送信装置に備えると、波長多重フィルタ等の帯域制限フィルタによる光信号の劣化を緩和することが出来る。光信号の劣化が緩和できれば、高速大容量化、中継距離の増大、伝送品質の向上に資することができる。
【００６２】
光受信装置内に周波数特性補正フィルタを配置する例を図１９に示す。図１９において、１２は異なる波長の複数の変調光を合波したり分波したりする波長多重フィルタ、１３は変調光を復調してベースバンド信号を生成する光信号検波回路、１５は周波数特性補正フィルタである。図１９において、異なる波長の複数の変調光が波長多重フィルタに入力されると、それぞれの波長の変調光に分波される。光信号検波回路１３でベースバンド信号に復調される。復調されたベースバンド信号は周波数特性補正フィルタによって周波数特性が補正される。
【００６３】
このような周波数特性補正フィルタを光受信装置に備えると、波長多重フィルタ等の帯域制限フィルタによる光信号の劣化を緩和することが出来る。光信号の劣化が緩和できれば、高速大容量化、中継距離の増大、伝送品質の向上に資することができる。
【００６４】
このような周波数特性補正フィルタは、光伝送システム内の１箇所だけでなく、複数の箇所に配置してもよい。また複数の周波数特性補正フィルタを配置して、周波数特性を分散して補正することでもよい。
【産業上の利用可能性】
【００６５】
本発明は情報通信産業に適用することができる。
【符号の説明】
【００６６】
１１：光信号生成回路
１２：波長多重フィルタ
１３：光信号検波回路
１４：波長選択スイッチ
１５：周波数特性補正フィルタ
２１〜２６：光透過特性補正フィルタ
１０１：入出力ポート
１０２：回折格子
１０３：光学レンズ
１０４：反射型液晶素子
【図１】
0005748342.tif 000002
【図２】
0005748342.tif 000003
【図３】
0005748342.tif 000004
【図４】
0005748342.tif 000005
【図５】
0005748342.tif 000006
【図６】
0005748342.tif 000007
【図７】
0005748342.tif 000008
【図８】
0005748342.tif 000009
【図９】
0005748342.tif 000010
【図１０】
0005748342.tif 000011
【図１１】
0005748342.tif 000012
【図１２】
0005748342.tif 000013
【図１３】
0005748342.tif 000014
【図１４】
0005748342.tif 000015
【図１５】
0005748342.tif 000016
【図１６】
0005748342.tif 000017
【図１７】
0005748342.tif 000018
【図１８】
0005748342.tif 000019
【図１９】
0005748342.tif 000020